(57)【要約】      （修正有）【課題】軟質性紐状体の端部どうしを脱着可能に係合させるクラスプ部を軟質性紐状体に対して確実に係合させ、かつ、軟質性紐状体の長手方向に沿った応力が加わっても軟質性紐状体から容易に脱落することを防止する。【解決手段】軟質性紐状体の両端部には、それぞれクラスプ部３０が形成され、クラスプ部は、軟質性紐状体の周面を巻回するバネ状部３１Ａ、およびバネ状部の端部から延び、軟質性紐状体の外部から内部に向けて進入する進入部３１Ｂを有する紐状体端部保持部材３１と、内部に紐状体端部保持部材を収容し、開口端側が中心に向かって屈曲された屈曲部を設けた有底筒状の外装部材３３と、を有し、外装部材の開口端側の開口径Ｄ１は、バネ状部の最大外径Ｄ２よりも小さくなるように形成され、かつ、屈曲部の先端は、バネ状部の互いに隣接する周回部分どうしの間の溝Ｒに進入可能に形成される。【選択図】図５
2019054904.tif 000002
【特許請求の範囲】
【請求項１】
長手方向に延びる軟質性紐状体と、前記軟質性紐状体の内部に収容される磁石とを有する磁気治療具であって、
前記軟質性紐状体の両端部には、それぞれクラスプ部が形成され、
前記クラスプ部は、前記軟質性紐状体の周面を巻回するバネ状部、および該バネ状部の端部から延び、前記軟質性紐状体の外部から内部に向けて進入する進入部を有する紐状体端部保持部材と、内部に前記紐状体端部保持部材を収容し、開口端側が中心に向かって屈曲された屈曲部を設けた有底筒状の外装部材と、を有し、
前記外装部材の前記開口端側の開口径は、前記バネ状部の最大外径よりも小さくなるように形成され、かつ、前記屈曲部の先端は、前記バネ状部の互いに隣接する周回部分どうしの間の溝に進入可能に形成され、
前記軟質性紐状体の両端部の前記クラスプ部のうち、少なくともいずれか一方の前記クラスプ部を構成する前記外装部材には、前記軟質性紐状体の両端部にそれぞれ形成された前記クラスプ部どうしを脱着自在に係着させる係着手段を備えたことを特徴とする磁気治療具。
【請求項２】
前記磁石は、異方性磁石であることを特徴とする請求項１記載の磁気治療具。
【請求項３】
前記係着手段は永久磁石であり、前記外装部材は強磁性材料から構成されること特徴とする請求項１または２記載の磁気治療具。
【請求項４】
前記バネ状部は、前記軟質性紐状体の長手方向に沿って外径が漸減するように形成されていること特徴とする請求項１ないし３いずれか一項記載の磁気治療具。
【請求項５】
請求項１ないし４いずれか一項記載の磁気治療具の製造方法であって、
前記軟質性紐状体を成形するための金型内に前記紐状体端部保持部材を予め配置してから、前記軟質性紐状体を構成する樹脂材料を前記金型内に導入して、両端部にそれぞれ前記紐状体端部保持部材が形成された前記軟質性紐状体を成形するインサート成形工程を備えることを特徴とする磁気治療具の製造方法。
【請求項６】
前記インサート成形工程の後工程であって、前記紐状体端部保持部材を構成する前記バネ状部の互いに隣接する周回部分どうしの間の溝に対して、前記外装部材の前記屈曲部の先端を嵌合させてから前記外装部材を回転させることにより、前記紐状体端部保持部材に前記外装部材を螺合させる外装部材取付工程を備えることを特徴とする請求項５記載の磁気治療具の製造方法。
【発明の詳細な説明】
【技術分野】
【０００１】
本発明は、首や腕などに掛けて使用され、磁気の作用により、血行促進などの効果が期待される磁気治療具およびその製造方法に関する。
【背景技術】
【０００２】
磁石を有するネックレスやブレスレットを身に着けると、磁気の作用により、血行促進などの効果が得られることが知られている。例えば、柔軟で折り曲げ可能な軟質性紐状体と、その軟質性紐状体の内部に収容された磁石と、その軟質性紐状体の両端に備えられた連結具とを有する磁気治療具が知られている。
【０００３】
特許文献１には、シリコーンゴムに複数の磁石を収容した可撓性を有する長尺な磁性部（軟質性紐状体）を備えた磁気治療具が開示されている。この特許文献１には、磁気治療具の製造方法として、磁性部に対応する上型と下型とを備えた金型を用い、金型の磁性部に対応する部分にシリコーンゴムをセットし、そのセットしたシリコーンゴムに磁性体を配置した後、プレス成型する方法が開示されている。
【０００４】
軟質性紐状体としてシリコーンゴムなどを用いた一般的なネックレスやブレスレットでは、首や腕などに容易に着脱可能にするために、軟質性紐状体の両端部分に、容易に着脱可能な係止金具（クラスプ部）が設けられている。こうした係止金具は、例えば筒状の金属部材の内部に軟質性紐状体を通してから、この金属部材をかしめることによって、軟質性紐状体の端部に係止金具を係着させている。
【０００５】
また、例えば筒状の金属部材からなる係止金具の内部に軟質性紐状体を通し、係止金具と軟質性紐状体に対してピンなどを貫通させることによって、軟質性紐状体の端部に係止金具を係着させる構成も知られている。
【先行技術文献】
【特許文献】
【０００６】
【特許文献１】特開２００９−１８０６０号公報
【発明の概要】
【発明が解決しようとする課題】
【０００７】
しかしながら、軟質性紐状体の両端部に係止金具を取り付ける際に、軟質性紐状体を通した筒状の係止金具をかしめる構成では、使用中に不用意に軟質性紐状体を引き延ばしてしまうなどによって直径が減じ、軟質性紐状体が係止金具から抜け出てしまう虞があった。
【０００８】
また、係止金具と軟質性紐状体に対してピンなどを貫通させる構成では、使用中に不用意に軟質性紐状体を引き延ばしてしまうなどによって、ピンの貫通部分から軟質性紐状体が裂開してしまう虞があった。
【０００９】
本発明は、前述した状況に鑑みてなされたものであって、軟質性紐状体の端部どうしを脱着可能に係合させるクラスプ部を軟質性紐状体に対して確実に係合させ、かつ、軟質性紐状体の長手方向に沿った応力が加わっても軟質性紐状体から容易に脱落することがないクラスプ部を備えた磁気治療具およびその製造方法を提供する。
【課題を解決するための手段】
【００１０】
上記課題を解決するために、本発明の磁気治療具は、長手方向に延びる軟質性紐状体と、前記軟質性紐状体の内部に収容される磁石とを有する磁気治療具であって、前記軟質性紐状体の両端部には、それぞれクラスプ部が形成され、前記クラスプ部は、前記軟質性紐状体の周面を巻回するバネ状部、および該バネ状部の端部から延び、前記軟質性紐状体の外部から内部に向けて進入する進入部を有する紐状体端部保持部材と、内部に前記紐状体端部保持部材を収容し、開口端側が中心に向かって屈曲された屈曲部を設けた有底筒状の外装部材と、を有し、前記外装部材の前記開口端側の開口径は、前記バネ状部の最大外径よりも小さくなるように形成され、かつ、前記屈曲部の先端は、前記バネ状部の互いに隣接する周回部分どうしの間の溝に進入可能に形成され、前記軟質性紐状体の両端部の前記クラスプ部のうち、少なくともいずれか一方の前記クラスプ部を構成する前記外装部材には、前記軟質性紐状体の両端部にそれぞれ形成された前記クラスプ部どうしを脱着自在に係着させる係着手段を備えたことを特徴とする。
【００１１】
また、本発明では、前記磁石は、異方性磁石であることが好ましい。
【００１２】
また、本発明では、前記係着手段は永久磁石であり、前記外装部材は強磁性材料から構成されることが好ましい。
【００１３】
また、本発明では、前記バネ状部は、前記軟質性紐状体の長手方向端部側に向かって外径が漸減するように形成されていることが好ましい。
【００１４】
上記課題を解決するために、本発明の磁気治療具の製造方法は、前記各項記載の磁気治療具の製造方法であって、前記軟質性紐状体を成形するための金型内に前記紐状体端部保持部材を予め配置してから、前記軟質性紐状体を構成する樹脂材料を前記金型内に導入して、両端部にそれぞれ前記紐状体端部保持部材が形成された前記軟質性紐状体を成形するインサート成形工程を備えたことを特徴とする。
【００１５】
また、本発明では、前記インサート成形工程の後工程であって、前記紐状体端部保持部材を構成する前記バネ状部の互いに隣接する周回部分どうしの間の溝に対して、前記外装部材の前記屈曲部の先端を嵌合させてから前記外装部材を回転させることにより、前記紐状体端部保持部材に前記外装部材を螺合させる外装部材取付工程を備えることが好ましい。
【発明の効果】
【００１６】
本発明によれば、軟質性紐状体の端部どうしを脱着可能に係合させるクラスプ部を軟質性紐状体に対して確実に係合させ、かつ、軟質性紐状体の長手方向に沿った応力が加わっても軟質性紐状体から容易に脱落することがないクラスプ部を備えた磁気治療具およびその製造方法を提供することが可能になる。
【図面の簡単な説明】
【００１７】
【図１】本発明の第１実施形態にかかる磁気治療具（係着状態）を示す外観斜視図である。
【図２】本発明の第１実施形態にかかる磁気治療具（開放状態）を示す正面図である。
【図３】図２の要部拡大断面図である。
【図４】図３のＭ−Ｍ’線における断面図である。
【図５】軟質性紐状体の一端側および他端側にそれぞれ形成されたクラスプ部を示す断面図である。
【図６】本発明の第２実施形態にかかる磁気治療具のクラスプ部を構成する紐状体端部保持部材を示す拡大断面図である。
【図７】本発明の第３実施形態にかかる磁気治療具のクラスプ部を示す要部拡大断面図である。
【図８】本発明の一実施形態の磁気治療具の製造方法を示す断面図である。
【図９】本発明の一実施形態の磁気治療具の製造方法を示す断面図である。
【発明を実施するための形態】
【００１８】
以下、図面を参照して、本発明の一実施形態の磁気治療具およびその製造方法について説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００１９】
「磁気治療具、第１実施形態」
図１は、本発明の第１実施形態にかかる磁気治療具（係着状態）を示す外観斜視図である。図２は、本発明の第１実施形態にかかる磁気治療具（開放状態）を示す正面図である。図３は、図２の要部拡大断面図である。また。図４は、図３のＭ−Ｍ’線における断面図である。
本実施形態の磁気治療具１は、軟質性紐状体１０と、軟質性紐状体１０の内部に収容されている磁石２０ａ、２０ｂとを有する。磁気治療具１は、軟質性紐状体１０の一端側および他端側にそれぞれ形成され、前記軟質性紐状体の端部どうしを脱着可能に接続するクラスプ部３０を有している。なお、磁石２０ａ、２０ｂとしては、例えば、異方性磁石や等方性磁石などを用いることができる。
【００２０】
クラスプ部３０は、軟質性紐状体１０の一端側に形成された第１クラスプ部３０Ａと、軟質性紐状体１０の他端側に形成された第２クラスプ部３０Ｂと、から構成されている。これら第１クラスプ部３０Ａおよび第２クラスプ部３０Ｂを互いに係着することによって、図１に示すようにリング（係着状態）を形成する。リングを形成している磁気治療具１は、例えば、磁気ネックレス、磁気ブレスレットとして使用される。
【００２１】
軟質性紐状体１０の断面形状は本実施形態では円形であるが、折り曲げ可能であれば、その断面形状に、特に制限はなく、例えば、楕円形、多角形としてもよい。軟質性紐状体１０の直径は、特に限定されないが、例えば、０．３ｃｍ以上２ｃｍ以下の範囲である。また、軟質性紐状体１０の長さ方向の長さは、特に限定されないが、例えば、ネックレスとして使用されるものは、３０ｃｍ以上７０ｃｍ以下の範囲であり、ブレスレットとして使用されるものは、１０ｃｍ以上３０ｃｍ以下の範囲である。
【００２２】
本実施形態の軟質性紐状体１０は、長手方向に延びた第１紐状部材１１と第２紐状部材１５とを接合した接合体である。第１紐状部材１１および第２紐状部材１５は、軟質樹脂から形成されていることが好ましい。第１紐状部材１１および第２紐状部材１５を構成する軟質樹脂は、例えば、−６０℃以上１５０℃以下の温度範囲で折り曲げ可能な弾性体であることが好ましい。
【００２３】
第１紐状部材１１および第２紐状部材１５を構成する軟質樹脂としては、ゴムおよびエラストマーを用いることができる。ゴムの例としては、シリコーンゴム、ウレタンゴム、ブタジエンゴム、イソプレンゴム、アクリルゴム、クロロプレンゴム、フッ素ゴムが挙げられる。エラストマーの例としては、スチレン系エラストマー、オレフィン系エラストマー、塩化ビニル系エラストマー、ウレタン系エラストマー、アミド系エラストマーが挙げられる。第１紐状部材１１および第２紐状部材１５は、それぞれ異なる軟質樹脂から形成されていてもよいが、接合強度の観点から同一種の軟質樹脂から形成されていることが好ましい。本実施形態では、第１紐状部材１１と第２紐状部材１５ともにシリコーンゴムを用いている。
【００２４】
なお、軟質性紐状体１０は、一端側と他端側を除いた領域、即ち、後述する磁石２０ａ、２０ｂが挿入される領域は第１紐状部材１１と第２紐状部材１５とを接合しているが、一端側と他端側は、第１紐状部材１１だけで形成されている。
【００２５】
第１紐状部材１１は、第２紐状部材と接合する面に凹状に形成された凹状磁石支持部１２を有し、磁石２０ａ、２０ｂの少なくとも一部が凹状磁石支持部１２に挿入されている。本実施形態では、磁石２０ａ、２０ｂの５０体積％以上の部分が、凹状磁石支持部に挿入されている。
【００２６】
本実施形態において、第１紐状部材１１は、長手方向に沿った中央部に、長手方向に沿った両側部よりも盛り上がった凸部１３を有し、凸部１３に凹状磁石支持部１２が設けられている。本実施形態では、凸部１３の断面形状は、上底が下低よりも短い台形状とされている。
【００２７】
図５（ａ）は、軟質性紐状体の一端側および他端側にそれぞれ形成されたクラスプ部の長手方向に沿った拡大断面図、図５（ｂ）は、図５（ａ）のＡ−Ａ’線に沿った拡大断面図である。
なお、本実施形態においては、クラスプ部３０を構成する第１クラスプ部３０Ａおよび第２クラスプ部３０Ｂは、互いに同一の構成である。従って、以下の説明では、軟質性紐状体１０の一端側に形成された第１クラスプ部３０Ａを説明するが、軟質性紐状体１０の他端側に形成された第２クラスプ部３０Ｂも第１クラスプ部３０Ａと同一の構成である。
【００２８】
第１クラスプ部３０Ａは、紐状体端部保持部材３１と、永久磁石（係着手段）３２と、外装部材３３と、を有している。
紐状体端部保持部材３１は、例えば金属線を螺旋状に巻回させたコイルバネ状のバネ状部３１Ａを備えている。このバネ状部３１Ａは、その円筒形の内部に軟質性紐状体１０の一端側が挿入されている。即ち、軟質性紐状体１０の一端側の周面に、バネ状部３１Ａを構成する金属線が螺旋状に巻回している。これにより、バネ状部３１Ａの内側は、軟質性紐状体１０の外面（外周面）に密着している。また、バネ状部３１Ａの隣合う金属線間の凹部にも軟質性紐状体１０を構成するシリコーンゴムが入り込んでおり、これにより紐状体端部保持部材３１と軟質性紐状体１０とはより強固に接合されている。
【００２９】
紐状体端部保持部材３１は、バネ状部３１Ａの一方の端部から一体に延び、軟質性紐状体１０の外部から内部に向けて進入する進入部３１Ｂを備えている。こうした進入部３１Ｂは、バネ状部３１Ａを構成する金属線の一端側が軟質性紐状体１０の内部に進入するように折り曲げられたものであればよい。
【００３０】
これらバネ状部３１Ａと進入部３１Ｂとが一体に形成された紐状体端部保持部材３１は、例えば、全体が金属の硬鋼線、ステンレス線などから形成されている。
【００３１】
外装部材３３は、例えば有底円筒形の筒状部材であり、内部に紐状体端部保持部材３１と、永久磁石（係着手段）３２とを収容している。外装部材３３は、内部に収容された永久磁石（係着手段）３２の磁力を外部に出すために、強磁性材料から構成されている。例えば、外装部材３３は、鋼板などを用いて形成することが好ましいがＳＵＳ板やアルミ板を用いることもできる。
【００３２】
外装部材３３には、有底円筒形の開口端側の周縁が内側に向かって屈曲された屈曲部３３ａが形成されている。この屈曲部３３ａの先端３３ａｔは、バネ状部３１Ａを構成している巻回された金属線の互いに隣接する周回部分どうしの間に形成される溝部分Ｒに入り込むことが可能なように形成されている。即ち、外装部材３３の開口端側の開口径Ｄ１は、バネ状部３１Ａの最大外径Ｄ２よりも小さくなるように形成されている。
【００３３】
こうした外装部材３３と紐状体端部保持部材３１との形状によって、紐状体端部保持部材３１に対して外装部材３３を取り付ける際には、紐状体端部保持部材３１を成すバネ状部３１Ａの他方の端部側に外装部材３３の屈曲部３３ａを押し付けて、外装部材３３を回転させることによって、外装部材３３の屈曲部３３ａの先端３３ａｔがバネ状部３１Ａの外面に形成された螺旋状の溝部分Ｒに入り込んで螺合する。即ち、紐状体端部保持部材３１のバネ状部３１Ａと外装部材３３の開口端側とは、ネジ溝とネジ山による螺合によって係合することができる。
【００３４】
このように紐状体端部保持部材３１のバネ状部３１Ａと外装部材３３の開口端側とを螺合させるために、外装部材３３の屈曲部３３ａは、バネ状部３１Ａを構成している金属線の１周回分に相当するように螺旋状に形成されている。
【００３５】
外装部材３３に収容される永久磁石（係着手段）３２は、軟質性紐状体１０の端面に隣接して配置され、例えば円筒形を成している。そして、第１クラスプ部３０Ａの永久磁石（係着手段）３２と、第２クラスプ部３０Ｂ（図１、図２参照）の永久磁石（係着手段）３２とは、それぞれ軟質性紐状体１０の端面に対向する面の極性が互いに逆になるように配置される。
【００３６】
このような永久磁石（係着手段）３２によって、第１クラスプ部３０Ａと第２クラスプ部３０Ｂ（図１、図２参照）とを自在に接続および離間させることを可能にする。即ち、第１クラスプ部３０Ａと第２クラスプ部３０Ｂとを近接させることにより、第１クラスプ部３０Ａの永久磁石３２と、第２クラスプ部３０Ｂの永久磁石３２とが磁力によって引きつけられ、軟質性紐状体１０を図１に示すリング状にすることができる。また、第１クラスプ部３０Ａと第２クラスプ部３０Ｂとを磁力に抗して引き離すことによって、軟質性紐状体１０を図２に示す一連の直線状にすることができる。
【００３７】
このように、軟質性紐状体１０の一端側と他端側との係着手段として永久磁石（係着手段）３２を用いることによって、軟質性紐状体１０の一端側と他端側とを容易に接続および離間させることができる。例えば、ネックレス状の磁気治療具１に適用した場合、人体の首に対して容易に装着、および離脱させることができる。
【００３８】
以上のような構成の本発明の第１実施形態の磁気治療具１によれば、磁気治療具１の脱着の際に、誤って軟質性紐状体１０を引き延ばしてしまっても、軟質性紐状体１０の一端側および他端側をそれぞれ保持する紐状体端部保持部材３１の進入部３１Ｂが軟質性紐状体１０の内部に入り込んでいるため、引き延ばしによる軟質性紐状体１０の直径の減少によっても、第１クラスプ部３０Ａや第２クラスプ部３０Ｂから軟質性紐状体１０が離脱することを防止できる。
【００３９】
そして、外装部材３３の屈曲部３３ａの先端３３ａｔがバネ状部３１Ａの外面に形成された螺旋状の溝部分Ｒに入り込んで螺合する構成により、磁気治療具１の組み立て時において、永久磁石（係着手段）３２を収容した外装部材３３を回転させて紐状体端部保持部材３１のバネ状部３１Ａにねじ込むだけで、容易にクラスプ部３０を形成することができる。
【００４０】
なお、上述した第１実施形態では、紐状体端部保持部材３１を成す進入部３１Ｂが、軟質性紐状体１０の断面中心に向けて延びるように折り曲げられているが、進入部３１Ｂは、軟質性紐状体１０の外面から内部に入り込む形状であれば、必ずしも軟質性紐状体１０の断面中心に向けて延びていなくてもよい。
【００４１】
「磁気治療具、第２実施形態」
図６は、本発明の第２実施形態にかかる磁気治療具のクラスプ部を構成する紐状体端部保持部材を示す拡大断面図である。
図６に示す第２実施形態では、紐状体端部保持部材４１は、バネ状部４１Ａと、このバネ状部４１Ａの一方の端部に一体に形成された進入部４１Ｂを有している。そして、本実施形態の紐状体端部保持部材４１は、紐状体端部保持部材４１の長手方向に沿った外径が他方の端部に向かうほど漸減するように形成されている。即ち、バネ状部４１Ａの他方の端部側は、バネ状部４１Ａを構成する金属線が他方の端部に向かうほど巻回直径が小さくなるように巻回されている。
【００４２】
このような構成によって、磁気治療具１の組み立て時において、永久磁石（係着手段）３２を収容した外装部材３３（図５参照）を紐状体端部保持部材４１のバネ状部４１Ａにねじ込む際に、容易に螺合させることが可能になる。
【００４３】
「磁気治療具、第３実施形態」
図７は、本発明の第３実施形態にかかる磁気治療具のクラスプ部を示す要部拡大断面図である。
なお、第１実施形態と同様の構成には同一の番号を付し、重複する説明を省略する。
図７に示す第３実施形態では、磁気治療具の軟質性紐状体１０の一端側および他端側にそれぞれ形成されるクラスプ部５０のうち、軟質性紐状体１０の一端側に形成された第１クラスプ部５０Ａにだけ永久磁石（係着手段）３２を形成し、軟質性紐状体１０の他端側に形成された第２クラスプ部５０Ｂには永久磁石（係着手段）を特に形成しない。このため、第２クラスプ部５０Ｂは、軟質性紐状体１０の他端側を係止する紐状体端部保持部材３１と、これを覆う外装部材５３からなる。そして、第２クラスプ部５０Ｂの外装部材５３は、第１クラスプ部５０Ａの永久磁石（係着手段）３２が吸着可能な強磁性体材料、例えば鋼板によって形成されている。第３実施形態のように、第１クラスプ部５０Ａにだけ永久磁石（係着手段）３２を形成することで、磁気治療具の製造コストを低減することができる。
【００４４】
「磁気治療具の製造方法」
次に、本発明の磁気治療具の製造方法の要部について説明する。
図８、図９は、本発明の一実施形態の磁気治療具の製造方法を段階的に示した断面図である。
本発明の磁気治療具の製造方法によって、図１、図２に示す第１実施形態の磁気治療具１を製造する際に、軟質性紐状体１０の一端側および他端側の成形は以下のように行う。まず、軟質性紐状体１０を成形する金型１００のうち、下金型１０２の両端に、インサート成形のインサート部材となる紐状体端部保持部材３１と軟質性紐状体１０の構成材料、例えば未硬化のシリコーンゴムＱを配置する。その後、上金型１０１でプレスして熱を加えることにより樹脂を加硫固化させる。（インサート成形工程）。
【００４５】
これにより、形成される軟質性紐状体１０の長手方向に沿って紐状体端部保持部材３１の内部にシリコーンゴムＱが入り込み（図８（ｂ）の樹脂注入方向を参照）、バネ状部３１Ａの内部を満たすとともに、進入部３１Ｂを覆うようにシリコーンゴムが成形される。
【００４６】
なお、こうしたインサート成形工程の前工程として、紐状体端部保持部材３１のバネ状部３１Ａの内面にプライマー処理を行うことも好ましい（プライマー処理工程）。プライマー処理工程としては、例えば、紐状体端部保持部材３１を構成する金属と、軟質性紐状体１０を構成するシリコーンゴムとの密着性を高めるプライマー材をバネ状部３１Ａの内面に塗布し、プライマー層を形成することで実現できる。
【００４７】
以上のような工程を経て、一端側および他端側に紐状体端部保持部材３１が形成された一次成形された軟質性紐状部材が得られる。この一次軟質紐状部材に、磁石２０ａ、２０ｂ（図１、２参照）を挿入し二次成形を行うことで軟質性紐状体１０が得られる。
次に、軟質性紐状体１０の一端側および他端側に形成された紐状体端部保持部材３１に対して、予め永久磁石（係着手段）３２を収容した外装部材３３の屈曲部３３ａを、バネ状部３１Ａの他方の端部側に押し付けて、屈曲部３３ａの先端３３ａｔをバネ状部３１Ａの外面に形成された螺旋状の溝部分Ｒに進入させる（図９（ａ）参照）。
【００４８】
そして、外装部材３３を回転させて紐状体端部保持部材３１のバネ状部３１Ａの外面にねじ込んでいく（外装部材取付工程：図９（ｂ）参照）。更に、紐状体端部保持部材３１の他方の端部を覆う位置まで外装部材３３を回転させてねじ込むことにより、軟質性紐状体１０の一端側および他端側にそれぞれクラスプ部３０を形成することができる（図９（ｃ）参照）。
【００４９】
以上のような構成の本発明の磁気治療具の製造方法によれば、外装部材３３の屈曲部３３ａの先端３３ａｔがバネ状部３１Ａの外面に形成された螺旋状の溝部分Ｒに入り込んで螺合する構成により、磁気治療具１の組み立て時において、永久磁石（係着手段）３２を収容した外装部材３３を回転させて紐状体端部保持部材３１のバネ状部３１Ａにねじ込むだけで、カシメ工程などで用いる専用の工具を用いずに、軟質性紐状体１０の一端側および他端側に容易にクラスプ部３０を形成することができる。
【００５０】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５１】
１…磁気治療具
１０…軟質性紐状体
２０ａ、２０ｂ…磁石
３０…クラスプ部
３０Ａ…第１クラスプ部
３０Ｂ…第２クラスプ部
３１…紐状体端部保持部材
３１Ａ…バネ状部
３１Ｂ…進入部
３２…永久磁石（係着手段）
３３…外装部材
３３ａ…屈曲部
【図１】
2019054904.tif 000003
【図２】
2019054904.tif 000004
【図３】
2019054904.tif 000005
【図４】
2019054904.tif 000006
【図５】
2019054904.tif 000007
【図６】
2019054904.tif 000008
【図７】
2019054904.tif 000009
【図８】
2019054904.tif 000010
【図９】
2019054904.tif 000011